(57)【特許請求の範囲】
【請求項１】
複数の無線電話機（５７０）と、
少なくとも１つの基地局（５５０）と、
少なくとも１つの基地局を介して無線電話通信を行うために、無線電話により使用される複数の無線電話トラヒックチャンネルと、
接続要求メッセージをＲＡＣＨスロットの中に配置して、無線電話トラヒック・チャンネルの１つへ接続を要求する際に、無線電話により使用されるＲＡＣＨスロットの繰り返しフレームを含む、ランダム接続チャンネル（ＲＡＣＨ）（６００）と、を備えた無線電話通信システム（５１０）であって、
無線電話機からの接続要求をＲＡＣＨスロットの予め定められた１つの中に、無線電話機からの接続要求に関する情報に基づいてマッピングし、その中に接続要求が配置されているＲＡＣＨスロットがその接続要求に関する追加情報を搬送するようにマッピングするための装置（９０８）を含むことを特徴とする、前記無線電話通信システム。
【請求項２】
請求項１記載の無線電話通信システムにおいて、無線電話通信システムが少なくとも１つの衛星（５２０）を含む衛星無線電話通信システムである、前記無線電話通信システム。
【請求項３】
請求項２記載の無線電話通信システムにおいて、少なくとも１つの基地局が複数のゲートウェイを含み、回路が：
無線電話機からの接続要求をＲＡＣＨスロットの予め定められた１つの中に、無線電話機に最も近いゲートウェイに基づいてマッピングし、その中に接続要求が配置されているＲＡＣＨスロットがその無線電話機に最も近いゲートウェイを識別するようにマッピングする回路を含む、前記無線電話通信システム。
【請求項４】
請求項３記載の無線電話通信システムにおいて、複数のゲートウェイが第１および第２ゲートウェイであって、ＲＡＣＨスロットの繰り返しフレームが奇数および偶数ＲＡＣＨスロットの繰り返しフレームであって、装置が：
無線電話機による接続要求を第１ゲートウェイが無線電話機に最も近いことを示すように奇数ＲＡＣＨスロットの中にマッピングし、無線電話機による接続要求を第２ゲートウェイが無線電話機に最も近いことを示すように偶数ＲＡＣＨスロットの中にマッピングする装置を含む、前記無線電話通信システム。
【請求項５】
請求項１記載の無線電話通信システムが更に：
無線電話トラヒック・チャンネルの１つへ接続を要求する無線電話機で使用されるＲＡＣＨスロットの選択されたフレームを示すための乱数発生器（９０４）を含み；
前記装置が、無線電話機の接続要求を乱数で指示されたＲＡＣＨスロットの選択されたフレーム内のＲＡＣＨスロットの予め定められた１つの中に、その無線電話機による接続要求に基づき、その中に接続要求が配置されたＲＡＣＨスロットが接続要求に関する追加情報を搬送するようにマッピングする装置を含む、前記無線電話通信システム。
【請求項６】
複数の無線電話機（５７０）と、少なくとも１つの基地局（５５０）と、無線電話機によって少なくとも１つの基地局を経由して無線電話通信を行うために使用される複数の無線電話トラヒックチャンネルと、無線電話トラヒック・チャンネルの１つへの接続をＲＡＣＨスロットの中に接続要求を配置することで要求するように無線電話機で使用されるＲＡＣＨスロットの繰り返しフレームを含むランダム接続チャンネル（ＲＡＣＨ）（６００）とを含む、無線電話通信システム（５１０）に対する接続要求方法であって、
無線電話機による接続要求をＲＡＣＨスロットの予め定められた１つの中に、無線電話機による接続要求に関する情報に基づき、その中に接続要求が配置されているＲＡＣＨスロットが接続要求に関する追加情報を搬送するようにマッピングする（９０８）ことを特徴とする、前記方法。
【請求項７】
請求項６記載の方法において、無線電話通信システムが少なくとも１つの衛星（５２０）を含む衛星無線電話通信システムである、前記方法。
【請求項８】
請求項７記載の方法において、少なくとも１つの基地局が複数のゲートウェイを含み、マッピング・ステップが：
無線電話機による接続要求を、ＲＡＣＨスロットの予め定められた１つの中に無線電話機に最も近いゲートウェイに基づき、その中に接続要求が配置されたＲＡＣＨスロットがその無線電話機に最も近いゲートウェイを識別するようにマッピングするステップを含む、前記方法。
【請求項９】
請求項８記載の方法において、複数のゲートウェイが第１および第２ゲートウェイであって、ＲＡＣＨスロットの繰り返しフレームが奇数および偶数ＲＡＣＨスロットの繰り返しフレームであって、マッピング・ステップが：
無線電話機による接続要求を、第１ゲートウェイが無線電話機に最も近いことを示すように奇数ＲＡＣＨスロットの中にマッピングし；
無線電話機による接続要求を、第２ゲートウェイが無線電話機に最も近いことを示すように偶数ＲＡＣＨスロットの中にマッピングするステップを含む、前記方法。
【請求項１０】
請求項６記載の方法において、マッピング・ステップが：
無線電話トラヒック・チャンネルの１つへの接続を要求するために無線電話機で使用されるＲＡＣＨスロットの選択されたフレームを示す乱数（９０４）を発生するステップを含み；
マッピング・ステップが無線電話機による接続要求を乱数で指示されたＲＡＣＨスロットの選択されたフレーム内のＲＡＣＨスロットの予め定められた１つの中に、その無線電話機による接続要求に関する情報に基づき、その中に接続要求が配置されたＲＡＣＨスロットがその接続要求に関する追加情報を搬送するようにマッピングするステップを含む、前記方法。
【請求項１１】
無線電話通信システムの少なくとも１つの基地局と、複数の無線電話トラヒック・チャンネルの１つを用いて通信するトランシーバ（８０１）を含む無線電話機（８００）であって、
無線電話機による無線電話トラヒック・チャンネルの１つへの接続要求を、予め定められたランダム接続チャンネル（ＲＡＣＨ）の中に、無線電話機による接続要求に関する情報に基づき、その中に接続要求が配置されているＲＡＣＨスロットがその接続要求に関する追加情報を搬送するようにマッピングする装置（８１４）を特徴とする、前記無線電話機。
【請求項１２】
請求項１１記載の無線電話機において、無線電話通信システムが少なくとも１つの衛星を含む、衛星無線電話通信システムである、前記無線電話機。
【請求項１３】
請求項１２記載の無線電話機において、少なくとも１つの基地局が複数のゲートウェイを含み、前記装置が：
無線電話機による接続要求を予め定められたＲＡＣＨスロットの中に、無線電話機に最も近いゲートウェイに基づき、その中に接続要求が配置されているＲＡＣＨスロットがその無線電話機に最も近いゲートウェイを識別するようにマッピングするための装置を含む、前記無線電話機。
【請求項１４】
請求項１３記載の無線電話機において、複数のゲートウェイが第１および第２ゲートウェイであり、ＲＡＣＨスロットが奇数および偶数ＲＡＣＨスロットであって、前記装置が：
無線電話機による接続要求を、第１ゲートウェイがその無線電話機に最も近いことを示すように奇数ＲＡＣＨスロットの中にマッピングし、無線電話機による接続要求を、第２ゲートウェイがその無線電話機に最も近いことを示すように偶数ＲＡＣＨスロットの中にマッピングする装置を含む、前記無線電話機。
【請求項１５】
請求項１１記載の無線電話機において、ＲＡＣＨスロットがＲＡＣＨスロットの繰り返しフレームの中に配置されており、無線電話機が更に：
無線電話トラヒック・チャンネルの１つへの接続を要求する無線電話機で使用されるＲＡＣＨスロットの選択されたフレームを示す、乱数発生器（８１６）と；
無線電話機による接続要求を、乱数で示されたＲＡＣＨスロットの選択されたフレーム内の予め定められたＲＡＣＨスロットの中に、無線電話機による接続要求に関する情報に基づき、その中に接続要求が配置されているＲＡＣＨスロットがその接続要求に関する追加情報を搬送するようにマッピングする装置を含む、装置とを含む前記無線電話機。
【請求項１６】
無線電話機（８００）を運用するための方法であって：
無線電話通信システムの複数の無線電話トラヒック・チャンネルの１つへの無線電話機による接続要求を、予め定められたランダム接続チャンネル（ＲＡＣＨ）スロットの中へ、無線電話機による接続要求に関する情報に基づき、その中に接続要求が配置されているＲＡＣＨスロットがその接続要求に関する追加情報を搬送するようにマッピングする（８１４）ことを特徴とする、前記方法。
【請求項１７】
請求項１６記載の方法において、無線電話通信システムが少なくとも１つの衛星（５２０）を含む衛星無線電話通信システムである、前記方法。
【請求項１８】
請求項１７記載の方法において、無線電話通信システムが複数のゲートウェイを含み、マッピング・ステップが：
無線電話機による接続要求を予め定められたＲＡＣＨスロットの中に、その無線電話機に最も近いゲートウェイに基づき、その中に接続要求が配置されているＲＡＣＨスロットがその無線電話機に最も近いゲートウェイを識別するようにマッピングするステップを含む、前記方法。
【請求項１９】
請求項１８記載の方法において、複数のゲートウェイが第１および第２ゲートウェイであり、ＲＡＣＨスロットが奇数及び偶数ＲＡＣＨスロットであって、マッピング・ステップが：
無線電話機による接続要求を、第１ゲートウェイがその無線電話機に最も近いことを示すように奇数ＲＡＣＨスロットの中にマッピングし；
前記無線電話機による前記接続要求を、第２ゲートウェイがその無線電話機に最も近いことを示すように偶数ＲＡＣＨスロットの中にマッピングするステップを含む、前記方法。
【請求項２０】
請求項１６記載の方法において、ＲＡＣＨスロットがＲＡＣＨスロットの繰り返しフレームの中に配列されており、マッピング・ステップが：
無線電話トラヒック・チャンネルの１つへの接続を要求する無線電話機で使用されるＲＡＣＨスロットの選択されたフレームを示す乱数（８１６）を発生し；
無線電話機による接続要求を、乱数で示されるＲＡＣＨスロットの選択されたフレーム内の予め定められたＲＡＣＨスロットの中に、無線電話機による接続要求に関する情報に基づき、その中に接続要求が配置されているＲＡＣＨスロットが接続要求に関する追加情報を搬送するようにマッピングするステップを含む、マッピング・ステップを含む、以上のステップで実施される前記方法。
【請求項２１】
複数の無線電話機（８００）と、複数の無線電話トラヒック・チャンネル並びにＲＡＣＨスロットの繰り返しフレームを含み、無線電話トラヒック・チャンネルの１つへ接続要求メッセージをＲＡＣＨスロットの中に配置することにより使用されるランダム接続チャンネル（ＲＡＣＨ）（６００）とを使用して通信する無線電話通信システム基地局であって；
無線電話機による接続要求に関する追加情報を、その中に接続要求メッセージが受信されるＲＡＣＨスロットの識別に基づき、その中に接続要求が受信されるＲＡＣＨスロットがその接続要求に関する追加情報を搬送するように復号する装置（９０８）を特徴とする、前記基地局。
【請求項２２】
請求項２１記載の基地局において、該基地局が衛星無線電話通信基地局である、前記基地局。
【請求項２３】
請求項２２記載の基地局が更に、複数のゲートウェイを含み、前記装置が：
その無線電話機に最も近いゲートウェイの識別を、その中で接続要求メッセージが受信されるＲＡＣＨスロットの識別に基づき、その中に接続要求が受信されるＲＡＣＨスロットがその無線電話機に最も近いゲートウェイを識別するように、復号する装置を含む、前記基地局。
【請求項２４】
請求項２３記載の基地局において、複数のゲートウェイが第１および第２ゲートウェイであり、ＲＡＣＨスロットの繰り返しフレームが奇数および偶数ＲＡＣＨスロットの繰り返しフレームであり、前記装置が：
無線電話機による奇数ＲＡＣＨスロット内の接続要求が第１ゲートウェイがその無線電話機に最も近いことを示すように復号し、無線電話機による偶数ＲＡＣＨスロット内の接続要求が第２ゲートウェイがその無線電話機に最も近いことを示すように復号する装置を含む、前記基地局。
【請求項２５】
複数の無線電話機（８００）と、複数の無線電話トラヒック・チャンネル並びに接続要求メッセージをＲＡＣＨスロットの中に配置することにより無線電話トラヒック・チャンネルの１つへの接続を要求する無線電話機で使用されるＲＡＣＨスロットの繰り返しフレームを含むランダム接続チャンネル（ＲＡＣＨ）（６００）を用いて通信する無線電話通信システムの運用方法であって：
無線電話機による接続要求に関する追加情報を、その中に接続要求メッセージが受信されるＲＡＣＨスロットの識別に基づき、その中で接続要求が受信されるＲＡＣＨスロットがその接続要求に関する追加情報を搬送するように復号する（８１４）ことを特徴とする、前記方法。
【請求項２６】
請求項２５記載の方法において、基地局が衛星無線電話通信システム基地局である、前記方法。
【請求項２７】
請求項２６記載の方法において、少なくとも１つの基地局が複数のゲートウェイを含み、前記復号ステップが：
その無線電話機に最も近いゲートウェイの識別を、その中に接続要求メッセージが受信されるＲＡＣＨスロットの識別に基づき、その中に接続要求が受信されるＲＡＣＨスロットがその無線電話機に最も近いゲートウェイを識別するように復号するステップを含む、前記方法。
【請求項２８】
請求項２７記載の方法において、複数のゲートウェイが第１および第２ゲートウェイであって、ＲＡＣＨスロットの繰り返しフレームが奇数および偶数ＲＡＣＨスロットの繰り返しフレームであって、前記復号ステップが：
無線電話機による奇数ＲＡＣＨスロット内の接続要求が、第１ゲートウェイがその無線電話機に最も近いものであることを示すように復号し；
無線電話機による偶数ＲＡＣＨスロット内の接続要求が、第２ゲートウェイがその無線電話機に最も近いものであることを示すように復号するステップを含む、前記方法。
【発明の詳細な説明】
【０００１】
（技術分野）
本発明は通信システム並びに方法に係わり、特に無線電話通信システム並びに方法に関する。
【０００２】
（背景技術）
セルラ電話システムが一般的に音声およびデータ通信を複数の加入者に提供するために採用されている。例えばアナログ式セルラ電話システム、ＡＭＰＳ，ＥＴＡＣＳ，ＮＭＴ−４５０，およびＮＭＴ−９００と称されているものが成功裏に世界中に配備されて来た。更に最近、北米でのＩＳ−５４Ｂまた汎欧州ＧＳＭシステムの様なディジタルセルラ無線電話システムが導入されている。これらのシステムおよびその他のシステムが、例えば名称「セルラ無線システム」バルストン（Balston）その他著、アテック・ハウス（Artech House）、ノーウッド（Norwood）、ＭＡ．，１９９３年発刊に記述されている。
【０００３】
図１は在来型地上セルラ無線電話通信システム２０を図示する。セルラ無線電話システムは１つまたは複数の無線電話機２１を含み、基地局２３および移動体電話交換局（ＭＴＳＯ）２５で取り扱われている複数のセルと通信している。図１には３つのセル３６しか図示されていないが、典型的なセルラ・ネットワークは数百のセル、複数のＭＴＳＯを含み、数千の無線電話機を取り扱っているはずである。
【０００４】
セル３６は一般的に通信システム２０内のノードして働き、そこからリンクが無線電話機２１とＭＴＳＯ２５との間で確立されており、これはセル３６を取り扱っている基地局２３を介してなされる。各々のセルには１つまたは複数の専用制御チャンネルと１つまたは複数のトラヒック・チャンネルが割り当てられている。制御チャンネルはセル識別およびページング情報を送信するための使用される専用チャンネルである。トラヒック・チャンネルは音声およびデータ情報を搬送する。セルラ・ネットワーク２０を通して、二重無線通信リンク３２が２つの移動局２１の間、または無線電話機２１と地上線電話機使用者３３との間で確立されているはずである。基地局２３の機能は一般的に無線を取り扱う。
【０００５】
図２に示されるように、衛星１１０を採用して従来型地上無線電話システム内の基地局で実施されているのと同様な機能を、例えば人口が広範な地域に薄く分布している所やまたは地上セルラ電話基盤構造が技術的または経済的に実際的でない場合に、実行させることも可能であろう。衛星無線電話システム１００は典型的に１つまたは複数の衛星１１０を含み、これは１つまたは複数の地上局１３０と無線電話機２１との間の中継器またはトランスポンダとして作動する。衛星は無線電話機２１と地上局１３０の間で二重リンク１７０を介して通信する。地上局は続いて公衆電話交換網１４０に接続されて、衛星無線電話機相互間の通信および衛星無線電話機と従来型地上セルラ無線電話機または陸上線電話機との間の通信を可能とする。衛星無線電話システムはシステムがサービスを行う全領域をカバーする単一アンテナ・ビームを使用しても、または図示されるように衛星を重複する部分が最小で、各々がシステムのサービス地域内の特定地理カバー領域１６０に作用する複数のビーム１５０を生成するように設計することも可能である。衛星１１０およびカバー領域１６０は基地局２３とセル３６がそれぞれ地上セルラシステム内で行っているのと同様な機能をサービスする。
【０００６】
伝統的なアナログ無線電話システムは一般的に周波数分割多元接続（ＦＤＭＡ）と呼ばれるシステムを採用して通信チャンネルを生成している。実際的なこととして当業者には良く知られているように、変調された波形である無線電話通信信号は、典型的に搬送周波数スペクトル内の予め定められた周波数帯域で通信される。これらの個別の周波数帯域はトラヒック・チャンネルとして作用し、それを介してセルラ無線電話機は１つのセルと、基地局またはそのセルを取り扱っている衛星を通して通信する。米国において、例えば連邦政府はセルラ通信に対してＵＨＦ周波数スペクトルの１ブロックを割り当てており、これは更にＥＩＡ−５５３またはＩＳ−１９Ｂで示されるシステムの、狭周波数帯域の複数対に副分割されている。周波数二重構成の結果採られるチャンネル対では、各々の対の中で送信および受信周波数は４５Ｍｈｚずれている。現在は８３２，３０Ｋｈｚの幅の無線チャンネルが、米国ではセルラ移動体通信に割り当てられている。
【０００７】
利用可能な周波数帯域の数に制限があるため、加入者数の増加に伴っていくつかの課題をもたらす。セルラ無線電話システム内の加入者数が増加すると、制限された利用可能周波数スペクトルを更に効率的に利用して、通信品質を維持しながら更に多くの総チャンネル数を提供する必要がある。この課題は加入者がシステム内のセルの中で均一に分布していないため更に高められる。特定のセルでは比較的高いローカル加入者密度を指定された時間帯に処理するために更に多くのチャンネルが必要である。例えば、都市地域のセルはおそらく数百から数千の加入者を有る時点で含むことが考えられ、そのセル内で利用可能な周波数帯域の数を簡単に使い果たしてしまう。
【０００８】
これらの理由から、従来型セルラシステムは周波数の再使用を行って、各セル内での利用可能チャンネル容量を増加させまたはスペクトル効率を増加させている。周波数再使用は周波数帯域の各セルへの割り当てを含み、同一周波数を採用しているセルを地理的に分離して異なるセル内で無線電話機が同時に同一周波数を使用しても互いに干渉を起こさないようにしている。この様にすることで、数千の加入者が数百の周波数帯域のみを有するシステムでサービスを受けることができる。
【０００９】
チャンネル容量並びにスペクトル効率を更に増加できる別の技術は、時分割多元接続（ＴＤＭＡ）である。ＴＤＭＡシステムは従来型ＦＤＭＡシステムで採用されている周波数帯域を図３に示すようなシーケンシャルな時間スロットに更に分割している。周波数帯域ｆ1−ｆm上の通信は図に示されるように複数の時間スロットｔ1−ｔnを含む共通ＴＤＭＡフレーム３１０上で典型的に生じるが、各々の周波数帯域上での通信は、その帯域にユニークな時間スロットを含む１つのユニークなＴＤＭＡフレームに従って生じる。ＴＤＭＡを採用しているシステムの例は、米国で採用されている二重アナログ／ディジタルＩＳ−５４Ｂ標準であって、この中でＥＩＡ−５５３の元の周波数帯域の各々は３つの時間スロットに副分割されており、またヨーロッパＧＳＭ標準ではその周波数帯域の各々を８時間スロットに分割している。これらのＴＤＭＡシステムの中で、各使用者は基地局とその使用者に割り当てられた時間スロット期間中に送信されたディジタル・データのバーストを使用して通信する。ＴＤＭＡ内の１つのチャンネルは、１つまたは複数の周波数帯域上の１つまたは複数の時間スロットを含む。
【００１０】
１台の無線電話機に恒久的にＴＤＭＡ時間スロットを割り当てることは一般的に効率的で無いと思われるので、典型的な無線電話システムは必要に応じて時間スロットを割り当てて、そのシステムで利用可能な制限された周波数スペクトルを更に効率的に使用している。従って無線電話通信内の１つの仕事は、無線電話機にシステムへのアクセスを提供する事であり、すなわち１つの無線電話機へのトラヒック（音声またはデータ）チャンネルに対応する時間スロットを、それが別の無線電話機または陸上線電話機または従来型セルラ無線電話機とＰＳＴＮ経由で通信を希望する際に割り当てる事である。この仕事は一般的に、無線電話機が発呼を試みようとする際および無線電話機が別の無線電話機または従来型電話機からの呼出しに応答しようと試みる際に実行される。
【００１１】
無線電話通信システムへの接続は種々多数の方法で提供されるはずである。例えば、ポーリング技術を用いることも可能であり、その場合中央または基地局がシリアルに使用者をポーリングし、各々に対して順番に衝突を伴わずに要求接続の機会を与える。しかしながらシリアル・ポーリングは無線電話システムでは実際的ではなく、それは典型的な無線電話システムはたとえ数千ではなくとも数百の使用者を有するからである。当業者には理解されるであろうが、この多数の使用者をシリアルにポーリングすることは非常に非効率的であり、多くの使用者がまったく接続を希望していない場合、または彼らがポーリングされたその時点で接続を希望していない場合を考えると特に非効率である。
【００１２】
この理由のため、無線電話システムは典型的にランダム接続技術を使用しており、ここではトラヒック・チャンネルを希望する無線電話機がランダムに接続要求を基地またはハブ局に送信し、基地局は可能であれば要求を出している無線電話機に対して通信チャンネルを確立する事で肯定確認する。ＴＤＭＡ無線電話通信システム用のランダム接続技術の1例は、ＧＳＭシステムで使用されているものである。ＧＳＭシステム内で1組の共通制御チャンネル（ＣＣＣＨ）がシステム内の無線電話機で共有されており、１つまたは複数のランダム接続チャンネル（ＲＡＣＨ）を含む。
【００１３】
無線電話機は典型的にＲＡＣＨの状態を監視して、別の無線電話機が現在接続を要求しているか否かを判断している。1台の無線電話機が接続を希望し、ＲＡＣＨが待機状態であることを検知すると、その無線電話機は典型的にランダム接続チャンネル信号を送信し、これは典型的にその無線電話機の識別子とその無線電話機が接続を希望している電話機の識別子とを含み、これはしばしば「ＲＡＣＨバースト」と呼ばれている。図４Ａおよび４Ｂに図示されるように、ＲＡＣＨバースト４１０は典型的に、複数の保護ビット４２０を含む数個のフィールド、一連の同期ビット４３０、および一連の情報ビット４４０を含む。保護ビット４２０は隣接する時間スロット上で生じる通信の重畳を防止する為に使用される。同期シーケンス４３０は受信局でＲＡＣＨバーストと同期させて、情報シーケンス４４０に含まれる情報を復号するために使用される。情報シーケンス４４０はまた複数の副フィールド、例えばランダム参照番号フィールド４５０を含み、これは特定の無線電話機からの特定のランダムアクセス要求を識別するための「タグ」として作用する。
【００１４】
ＧＳＭシステムでは、１つのＲＡＣＨは通信システムへの接続を要求する無線電話機で使用される搬送周波数帯域上の１つの専用ＴＤＭＡ時間スロットである。無線電話機は典型的にそれらのＲＡＣＨバーストがそのＲＡＣＨ用に割り当てられたＴＤＭＡ時間スロット内に入るように時間を計っており、これは例えば基地局から送信された同期信号内での遷移の後予め定められた期間待ってＲＡＣＨバーストを送信する。しかしながら、無線電話機は従来から共通ＴＤＭＡ時間スロットを使用してＲＡＣＨバーストを送信するため、同時またはほぼ同時に隣接する無線電話機で送信された接続要求の間で衝突が生じる可能性がある。これらの衝突を処理するために、基地局はいくつかの形式のコンテンション解消プロトコルを実行する。例えば、基地局は同時要求を肯定確認することを拒絶し、要求元無線電話機に対してチャンネル確立を失敗した後も継続して接続を希望する場合に、その要求を再宣言するように要求する。コンテンション解消プロトコルはまた種々のランダム遅延および同様の技術を使用して、無線電話機が第１の衝突に続いて繰り返し衝突に巻き込まれることを低減している。ヨーロッパＧＳＭシステムで使用されているコンテンション論理が「移動体通信用ＧＳＭシステム」エム・モーリー（M.Mouly）およびエム・ビー・パウテ（M.B.Pautet）著、１９９２年、３６８−７２ページに記載されている。
【００１５】
無線電話通信システムの複雑さが増加するに伴って、無線電話通信システムに追加情報をＲＡＣＨメッセージの一部として提供することが望ましい。例えば、図２に説明された衛星無線電話システムにおいて、ＲＡＣＨメッセージは無線電話が、呼を発した無線電話で呼ばれた番号に関する国市外局番（ＮＣＣ：National Country Code）と宛先番号とを送信出来るように設計されている。この情報は一般的に無線電話機から発せられた呼が無線電話システム地上局およびネットワークを通して効率的に回送するために十分であろう。
【００１６】
しかしながら、この情報がその呼を効率的に回送するには十分でない場合も存在する。例えば、複数のゲートウェイ１３０が特定の国の中に具備されている場合も有るであろう。無線電話から発せられた呼を衛星からその無線電話に最も近いゲートウェイを通して回送することが望ましいはずである。不幸にして、ＲＡＣＨメッセージ・プロトコルはこの追加情報を提供するためのフィールドを具備していないはずである。
【００１７】
追加情報はＲＡＣＨメッセージに関するプロトコルを、この追加情報の符号化を可能とするように再設計することで提供出来る。従って、例えばＲＡＣＨメッセージの情報内容を、最も近いゲートウェイの識別子を含むように増すことができる。不幸にして、ＲＡＣＨプロトコルの修正変更は層１（物理）および層３（シグナリング）プロトコルの修正変更を必要とする。これはプロトコルが既に標準化されている無線電話通信で実施することは困難である。更に、これらのプロトコルの修正変更は既存の無線電話機との互換性に影響を与える。最後に、仮にＲＡＣＨメッセージの長さが増えると、無線電話通信システムへの接続を得る際の遅れが増してしまう。従って、ＲＡＣＨメッセージの中にＲＡＣＨメッセージ・プロトコルの修正変更を必要とすることなく、またＲＡＣＨスロット長を拡張する必要もなく追加情報を提供する必要がある。
公用ＰＣＴ出願ＷＯ９７／３８５０２は時分割多元接続（ＴＤＭＡ）衛星無線電話通信システムを記載しており、ここで無線電話機はランダム接続無線電話通信信号を１つの衛星に対して専用のランダム接続チャンネル・アップリンク搬送周波数帯域上で通信する。それに応答して、専用ランダム接続チャンネル・アップリンク搬送周波数帯域と異なる、時分割多元アップリンク搬送周波数上の時分割多元［ｓｉｃ］接続チャンネルが割り当てられる。無線電話機は時分割多元無線電話通信信号を衛星に、割り当てられた時分割多元接続チャンネルを経由して通信する。ランダム接続チャンネル無線電話通信信号は衛星に対して第１無線電話機から第１の専用ランダム接続チャンネル・アップリンク搬送周波数帯域上で、または前記第１の専用ランダム接続チャンネル・アップリンク搬送周波数とは異なる、第２無線電話機から第２の専用ランダム接続チャンネル・アップリンク搬送周波数帯域上で通信される。その中で衛星が無線電話通信信号を第１カバー領域内に配置されている無線電話機に通信し、無線電話通信信号を第２カバー領域内に配置されている無線電話機に通信するシステムに対して、ランダム接続チャンネル無線電話通信信号は、無線電話機が第１カバー領域内に配置されている場合には第１の専用ランダム接続アップリンク搬送周波数帯域上で通信し、無線電話機が第２カバー領域内に配置されている場合には、第１の専用ランダム接続アップリンク搬送帯域とは異なる第２の専用ランダム接続アップリンク搬送周波数帯域上で通信する。
【００１８】
（発明の要約）
従って、改善された無線電話通信システム、方法、無線電話機及び基地局を提供することは本発明の１つの目的である。
【００１９】
無線電話トラヒック・チャンネルに接続する改善されたシステム、方法、無線電話機および基地局を提供する事は本発明の別の目的である。
【００２０】
ＲＡＣＨメッセージ内に追加情報を、ＲＡＣＨメッセージのプロトコルを再設計する必要なく、またＲＡＣＨスロットの長さを増やす必要なく提供することは本発明の更に別の目的である。
【００２１】
これら及びその他の目的は本発明に基づき次のように提供される、すなわち複数の無線電話トラヒック・チャンネルの１つへの１つの無線電話機の接続要求を、ランダム接続チャンネル（ＲＡＣＨ）スロットの繰り返しシリーズの予め定められた１つの中へ、その無線電話機からの接続要求に関する情報に基づいてマッピングすることで提供される。従って、その中に接続要求が配置されたＲＡＣＨスロットは接続要求に関する追加情報を運ぶ。この追加情報は基地局でＲＡＣＨプロトコルを修正変更したり、またはＲＡＣＨスロットの長さを延ばしたりする必要なく搬送および復号することが可能である。
【００２２】
更に詳細には、本発明によると無線電話通信システムは複数の無線電話機と少なくとも１つの基地局とを含む。複数の無線電話トラヒック・チャンネルがこれらの無線電話機で、少なくとも１つの基地局を介して無線電話通信を行うために使用されている。ＲＡＣＨスロットの繰り返しフレームを含む１つのＲＡＣＨが無線電話機で無線電話トラヒック・チャンネルの１つへ接続要求するために使用されており、これは接続要求メッセージをＲＡＣＨスロットの中に配置することで行われる。無線電話機の接続要求はＲＡＣＨスロットの中の予め定められた１つの中に、その無線電話機の接続要求に関する情報に基づき、その中に接続要求が配置されたＲＡＣＨスロットがその接続要求に関する追加情報を搬送するようにマッピングされる。基地局は接続要求に関するこの追加情報を、その中で接続要求メッセージが受信されたＲＡＣＨスロットの識別子に基づいて復号する。
【００２３】
本発明の１つの実施例において、無線電話通信は少なくとも１つの衛星を含む衛星無線電話通信システムである。複数のゲートウェイが具備されている。この実施例において無線電話機の接続要求はＲＡＣＨスロットの予め定められた１つの中に、その無線電話機に最も近いゲートウェイに基づいて、その中で接続要求が受信されたＲＡＣＨスロットがその無線電話機に最も近いゲートウェイを識別するようにマッピングされる。
【００２４】
例えば、この衛星無線電話通信システムは第１および第２ゲートウェイを含む。ＲＡＣＨスロットの繰り返しフレームは奇数および偶数ＲＡＣＨスロットの繰り返しフレームである。無線電話機の接続要求は奇数ＲＡＣＨスロットの中にマッピングされて、第１ゲートウェイがその無線電話機に最も近いことを示す。無線電話機の接続要求は偶数ＲＡＣＨスロットの中にマッピングされて、第２ゲートウェイがその無線電話機に最も近いことを示す。従って、従来のように１つの利用可能なＲＡＣＨスロットの中にＲＡＣＨメッセージをランダムに配置するのではなく、その中にＲＡＣＨメッセージが配置された特定のスロットがその接続要求に関する追加情報を搬送するように選択される。
【００２５】
本発明はコンテンション解消プロトコルと両立出来る。例えば、コンテンション解消プロトコルにおいて、２つの無線電話接続要求が同一ＲＡＣＨスロットの中に存在すると、各々の無線電話機内の乱数発生器がランダムに１つの選択されたフレームを示し、その中で各々の無線電話は接続要求を繰り返す。本発明によれば、無線電話の接続要求は続いて、乱数発生器で示されたＲＡＣＨスロットの選択されたフレームの中のＲＡＣＨスロットの予め定められた１つの中にマッピングされる。従ってその中に接続要求が配置されているＲＡＣＨスロットがその接続要求に関する追加情報を搬送する一方で、同一ＲＡＣＨスロット内の多重接続要求の衝突解消も可能とする。
【００２６】
当業者には理解されるであろうが、本発明は無線電話通信システムおよび方法、並びに無線電話および無線電話機管理の方法、並びに基地局および基地局管理の方法によって実現される。追加情報はＲＡＣＨプロトコルを修正変更することなくまたはＲＡＣＨフレームを長くすることなく、接続要求に関連して提供される。
【００２７】
（好適な実施例の詳細な説明）
本発明を以下に、本発明の好適な実施例が示されている添付図を参照して更に詳細に説明する。しかしながら本発明は多くの異なる形式で実施可能であり、此処に提示された実施例に制限されるものではない；むしろ、これらの実施例はこの開示が徹底的にかつ完全となり、また当業者に本発明の範囲が理解されるように提示されている。同様な構成要素は同様の番号で参照されている。
【００２８】
本発明が次に衛星無線電話通信システムに関連して説明されるが、これは２つのゲートウェイを含み此処で最も近いゲートウェイの識別をＲＡＣＨメッセージで通信することが好ましい。しかしながら、本発明はセルラ及び衛星無線電話通信システムに限らず、他の無線電話通信システムでも使用できることが理解されるであろう。これもまた理解されるであろうが、無線電話機の接続要求をＲＡＣＨスロットの予め定められた１つの中にマッピングすることで搬送される情報は、最も近いゲートウェイの識別以外であっても構わない。最後に当業者には理解されるであろうが、「無線電話機」という用語はアナログおよびディジタル無線電話機、多重モード無線電話機および大型表示器、スキャナ、フルサイズ・キーボードなどを含む高機能個人通信システム（ＰＣＳ）装置を含むように使われている。
【００２９】
次に図５を参照すると、衛星無線電話通信システム５１０は少なくとも１つの衛星５２０、ネットワーク制御センタ５３０、および複数のゲートウェイ５５０および５６０を含む。当業者には理解されるであろうが、１つの衛星５２０、１つのネットワーク制御センタ５３０および２つのゲートウェイ５５０および５６０が示されているが、衛星無線電話通信システム５１０は更に多数の衛星、ネットワーク制御センタおよびゲートウェイを含んでも良い。
【００３０】
更に図５を参照すると、ＲＡＣＨ信号をダウンリンク経由で送信する際に、システムはデータを衛星５２０からネットワーク制御センタ５３０に送信し、これは続いてＲＡＣＨ情報を第１ゲートウェイ５５０または第２ゲートウェイ５６０にスイッチ５４０を使用して中継する。コストの観点、そして／またはネットワーク負荷の観点から、衛星５２０からの呼を無線電話機５７０に最も近いゲートウェイを通して回送することが望ましい。図５に示されるように、第１ゲートウェイ５５０は第２ゲートウェイ５６０よりも無線電話機５７０に近い。残念ながら複数のゲートウェイを含む衛星無線電話通信システム５１０用の標準衛星空気インタフェース仕様には、ＲＡＣＨプロトコルの中に接続を要求している無線電話機に最も近いゲートウェイを示すことは用意されていない。例えば、アジア・セルラ衛星システム用衛星空気インタフェース仕様、１９９８年１月、文書番号第ＰＳ−ＳＡＩ１３１００改訂Ｃ、著作権１９９６，１９９７，１９９８、ロッキード・マーティン社（Lockheed Martin Corporation）、ＰＴアジア・セルラ衛星およびエリクソン移動体通信ＡＢ、ページ３０，６５および１４９−１５２を参照されたい。
【００３１】
衛星空気インタフェース仕様内のＲＡＣＨプロトコルは最も近いゲートウェイの識別を含むように修正変更する事が可能である。しかしながら、この修正変更は既存の無線電話機との互換性に大きな影響を与え、またＲＡＣＨメッセージの長さを増やし、それにより接続遅延を長くするであろう。
【００３２】
本発明によると、最も近いゲートウェイの識別は無線電話機の接続要求をＲＡＣＨスロットの予め定められた１つの中に、その無線電話に最も近いゲートウェイに基づき、その中に接続要求が配置されたＲＡＣＨスロットがその無線電話機に最も近いゲートウェイを識別するようにマッピングすることで提供される。
【００３３】
次に図６を参照すると、本発明に基づくＲＡＣＨスロットの中へのマッピングが図示されている。図６に示されるように、ＲＡＣＨ６００はＲＡＣＨスロット６０４および６０６の繰り返しフレーム６０２を含み、これは無線電話機５７０で接続要求メッセージをＲＡＣＨスロットの中に配置することで、無線電話トラヒック・チャンネルの１つへ接続を要求するように使用される。図６の中で、ＲＡＣＨ６００はユニークな制御チャンネルとして図示されている。しかしながら、当業者には理解されるようにＲＡＣＨチャンネル６００は別の制御チャンネルそして／またはトラヒック・チャンネルでインタリーブ出来る。
【００３４】
図６の中で、ＲＡＣＨフレーム６００は２つのＲＡＣＨスロット６０４，６０６を含む。本発明によれば、無線電話機５７０の接続要求はＲＡＣＨスロット６０４または６０６の予め定められた１つの中に、その無線電話機５７０に最も近いゲートウェイに基づいて、その中に接続要求が配置されたＲＡＣＨスロット６０４または６０６がその無線電話機に最も近いゲートウェイを示すようにマッピングされる。例えば、奇数ＲＡＣＨスロット６０４は第１ゲートウェイ５５０が無線電話機５７０に最も近いことを示すように使用される。偶数ＲＡＣＨスロット６０６は第２ゲートウェイ５６０が無線電話機５７０に最も近いことを示すように使用される。
【００３５】
従って図５および図６を参照すると、無線電話機５７０がゲートウェイ５５０に最も近いことを示すために、ＲＡＣＨメッセージが次に利用可能なＲＡＣＨスロットの中へのランダム・マッピングを使用するのではなく、奇数ＲＡＣＨスロット６０４の中にマッピングされる。ネットワーク制御センタ５３０は、どの時間スロットでＲＡＣＨメッセージが受信されたかに関する情報を使用してスイッチ５４０を制御して、そのメッセージを第１ゲートウェイ５５０に切り換える。
【００３６】
当業者には理解されるように、奇数および偶数スロット６０４および６０６を定義するために、既知の開始点、絶対フレーム番号（ＡＦＮ：Absolute Frame Number）６０８と呼ばれるものが無線電話機およびネットワーク制御センタの両方で識別される。図６の中で、交互に変化するＲＡＣＨスロットは奇数または偶数、１または０、ＡまたはＢ、またはその他の識別子で識別出来る。１つの位相のスロットは第１ゲートウェイにマッピングすることが出来て、その他の位相が第２ゲートウェイにマッピングできる。従って、ネットワーク制御センタ５３０はＲＡＣＨメッセージを、その中に既知のＡＦＮ６０８に関連した情報が到着する時間スロットに基づいて最も近いゲートウェイに回送する事が可能である。
【００３７】
図７は３つのスロット７０４，７０６，７１０およびＡＦＮ７０８を具備したＲＡＣＨ７０２を有するＲＡＣＨ７００を図示する。ＲＡＣＨ７００はＲＡＣＨ接続要求を３つのゲートウェイの１つに回送するために使用される。これに代わって、ＲＡＣＨマッピングはその他の情報を最も近いゲートウェイ識別子に加えてまたはそれとは別に提供するように使用することが出来る。
【００３８】
ＲＡＣＨ６００および７００はＮを法とする任意のＡＦＮ（any AFN modulo N）および定義されたスロット位置Ｍの任意の数として一般化できる。図６でＭは２に等しく、図７ではＭは３に等しい。従って、その中に接続要求が配置されているＲＡＣＨスロットは接続プロトコルまたはＲＡＣＨフレームの長さを変更する必要なく接続要求に関する追加情報を搬送する。
【００３９】
本発明はまた、２つの無線電話機による第２接続要求がまた同一ＲＡＣＨスロットの中に発生する可能性を減少させるために使用されるコンテンション解消プロトコルとも両立できる。その様なコンテンション解消技法において、乱数発生器を使用して乱数で定義された複数のＲＡＣＨフレームからの第２接続要求をランダムに遅延させる。従って、２つの無線電話機が接続要求を同一ＲＡＣＨスロットの中に生成すると、各々の電話機は乱数を発生させてその中で接続要求が再送信される後続のＲＡＣＨフレームを決定する。後続フレームの中で、先に説明したマッピングを使用して接続要求が、乱数発生器で指示されたＲＡＣＨスロットのフレームの中のＲＡＣＨスロットの予め定められた１つの中に、無線電話機の接続要求に関する情報に基づいてマッピングされる。
【００４０】
次に図８を参照すると、本発明に基づく無線電話機の簡略化されたブロック図が示されている。図８に示されるように、無線電話機８００はセルラ電話機、衛星電話機、またはセルラ電話機以外の機能、例えばファクシミリ、データ通信、データ処理、ワード・プロセッシングおよびその他の個人通信システム機能を提供する高機能端末が可能である。これらの高機能端末はしばしば個人通信システム（ＰＣＳ）と呼ばれる。これらの機能の２つまたはそれ以上を実施する多重モード無線通信端末もまた含まれている。
【００４１】
図８に示されるように、無線電話機８００はアンテナ８０６に結合されているトランシーバ８０１を含む。無線電話機８００はまた制御プロセッサ８０４および記憶装置（メモリ）８０５を含み、これは制御プロセッサ８０４に結合されてプログラムおよびデータ情報用の記憶容量を提供する。更に図８に示されるように、無線電話機８００はまた一般的にキーボード８０７、表示装置８０８、スピーカ８０９およびマイクロフォン８１１を含む使用者インタフェースをも含む。オーディオ、ビデオ・データそして／またはマルチメディア信号の送信を受信するための無線通信端末を具備するために、キーボード８０７は全機能装備パーソナル・コンピュータ・キーボードで、また表示装置８０８は大型グラフィック表示装置である。スキャナ８１０もまた、その他の装置８１２例えばディスク・ドライブ並びにモデムなどと同様に具備してＰＣＳ端末を構成することが可能である。送信回路８０２および受信回路８０３もまたトランシーバ８０１および制御プロセッサ８０４に結合されて、それぞれ送信および受信信号処理を実行する。
【００４２】
此処に記述した無線電話機８００の構成要素は当業者には良く知られているので、此処で更に詳しく説明する必要は無いであろう。更に、図２の任意および全ての構成要素は１つまたは複数のアナログまたはディジタル集積回路、格納されたプログラムを実行する集積回路マイクロプロセッサ、アプリケーション特定集積回路（ＡＳＩＣ）、またはハードウェアそして／またはソフトウェアの任意のその他の組み合わせを用いて実施できるであろう。
【００４３】
更に図８を参照すると、制御プロセッサ８０４は本発明に基づくマッピング器８１４および乱数発生器（ＲＮＧ）８１６を含む。理解されるようにマッピング器８１４および乱数発生器８１６を無線電話機８００とは独立の構成要素として具備することも可能であり、制御プロセッサ８０４の中に含まれる必要は無い。これもまた理解されるようにマッピング器８１４および乱数発生器８１６を１つまたは複数のアナログまたはディジタル集積回路、格納されたプログラムを実行する集積回路マイクロプロセッサ、ＡＳＩＣ、またはハードウェアそして／またはソフトウェアの任意のその他の組み合わせを用いて実施できるであろう。従って、マッピング器８１４および乱数発生器８１６もまた「回路」と呼ぶ。
【００４４】
マッピング器８１４は無線電話機８００による無線電話トラヒック・チャンネルの１つに対する接続要求を予め定められたＲＡＣＨスロットの中にその無線電話機による接続要求に関連する情報に基づいてマッピングする。従って、その中に接続要求が配置されたＲＡＣＨスロットはその接続要求に関する追加情報を搬送する。乱数発生器８１６はコンテンション解消プロトコルの一部として使用され、乱数を発生して無線電話機８００が無線電話トラヒック・チャンネルの１つに接続を要求する際に使用されるＲＡＣＨスロットの選択されたフレームを指示する。マッピング器８１４は乱数発生器８１６に応答してその無線電話機による接続要求を、その乱数で指示されたＲＡＣＨスロットの選択されたフレーム内のＲＡＣＨスロットの予め定められた１つの中に、その無線電話機による接続要求に関連する情報に基づいてマッピングし、その中に接続要求が配置されたＲＡＣＨスロットがその接続要求に関する追加情報を搬送するようにしている。
【００４５】
図９は本発明に基づくマッピングを図示する。理解されるように、図示されている流れ図の各ブロック、および図示されている流れ図のブロックの組み合わせは、コンピュータ・プログラム命令により実現できる。これらのコンピュータプログラム命令はプロセッサまたはその他のプログラム可能データ処理装置に提供されて、プロセッサまたはその他のプログラム可能データ処理装置の上で実行する命令が、流れ図の１つまたは複数のブロックで定義される機能を実行するための手段を生成するように、１つの機械を作り出す。これらのコンピュータプログラム命令はまたコンピュータ読み取り可能メモリ内に格納されて、プロセッサまたはその他のプログラム可能データ処理装置がそれぞれの方法で、コンピュータ読み取り可能メモリ内に格納されている命令が、流れ図内の１つまたは複数のブロックで定義された機能を実行する命令装置を含む製造品を作り出すように管理することが可能である。
【００４６】
従って図示されている流れ図の複数のブロックは、指定された機能を実行するための手段の組み合わせ、指定された機能を実行するためのステップおよび指定された機能を実行するためのプログラム命令手段の組み合わせを支援する。これも理解されるであろうが、図示された流れ図の各ブロック、および図示された流れ図内の複数ブロックの組み合わせは、指定された機能または図９に記述された様なステップを実行する特定目的ハードウェアに基づくコンピュータ・システム、または特定目的ハードウェアおよびコンピュータ命令で実現することが可能である。
【００４７】
次に図９を参照して、本発明に基づくマッピング（図８のブロック８１４）を以下に説明する。ブロック９０２で、コンテンション解消用のマッピングを実行するか否かの試験が行われる。言葉を変えると、前回の接続試行が同一ＲＡＣＨスロット内への多重要求の結果、接続に失敗したか否かが判定される。コンテンションが存在した場合、ブロック９０４で乱数が発生されて第２要求の中で接続を要求するための選択されたフレームを指示する。
【００４８】
続いてブロック９０６で、追加情報が接続要求と一緒に搬送されるか否かが判定される。この追加情報は、例えば最も近いゲートウェイの識別である。当業者には理解されるであろうが、最も近いゲートウェイの識別は図５の衛星から、図５のゲートウェイから、無線電話機自身からまたはその他の情報源から当業者には既知の技術を用いて得ることが出来る。追加情報が搬送される場合、次にブロック９０８で接続要求が予め定められたＲＡＣＨスロットの中に、追加情報に基づいてマッピングされる。復号作業が基地局で接続要求に関する追加情報を、その中で接続要求メッセージが受信されたＲＡＣＨスロットの識別子に基づいて復号することによって実行される。
【００４９】
従って、無線電話機による複数の無線電話トラヒック・チャンネルの１つへの接続要求は、予め定められたＲＡＣＨスロットの中へ、その無線電話機の接続要求に関する情報に基づいてマッピングされ、その中に接続要求が受信されたＲＡＣＨスロットがその接続要求に関する追加情報を搬送するようにしている。従って、追加情報は既存のＲＡＣＨチャンネル構造およびプロトコル内で送信される。
【００５０】
本発明は接続要求に関する任意の量の追加情報を搬送するように使用できる。しかしながら、大量の情報はその情報をマッピングするために使用されるＲＡＣＨフレーム数を増加させるであろう。これは接続を獲得するまでの遅延の原因となる。従って、本発明は好適に追加情報が少量、例えば最も近いゲートウェイ識別等が必要とされる場合に使用される。従って、ＲＡＣＨスロットの位置が使用されてＲＡＣＨメッセージ内容の内部には含まれていない情報を搬送する。本発明は無線電話による接続要求を送信する際に遅延を付加するが、特に本発明が１つまたは２つ程度の追加情報片を搬送するために使用される場合にはその遅延量は無視できる程度である。ＲＡＣＨマッピングはＲＡＣＨ内容の処理と並列に判定できるので、ネットワーク制御センタ内での処理遅延は発生しない。
【００５１】
最後に、此処ではマッピングが無線電話機で実行されるように説明されてきたが、無線電話通信システムの別の部署で、単独または無線電話機と組み合わせて実行できることは理解されよう。
【００５２】
図面および仕様の中で、本発明の典型的な好適な実施例が開示され、また特定の用語が使用されてきたが、それらは一般的かつ説明目的でのみ使用されたものであって、添付の特許請求の項に記載された本発明の範囲を制限する目的で使用されたものでは無い。
【図面の簡単な説明】
【図１】  図１は従来型陸上セルラ無線電話通信システムを図示する。
【図２】  図２は従来型衛星無線電話通信システムを図示する。
【図３】  図３は無線電話通信システムに関する搬送周波数スペクトルの従来型割り当てを図示する。
【図４Ａ】  図４Ａは従来型ＴＤＭＡ無線電話通信システムで使用される時間スロットとフレームを図示する。
【図４Ｂ】  図４Ｂは従来型ＴＤＭＡ無線電話通信システムで使用される時間スロットとフレームを図示する。
【図５】  図５は本発明に基づく衛星無線電話通信システムを図示する。
【図６】  図６は本発明に基づくＲＡＣＨスロットの中へのマッピングを図示する。
【図７】  図７は本発明に基づくＲＡＣＨスロットの中へのマッピングを図示する。
【図８】  図８は本発明に基づく無線電話機のブロック図である。
【図９】  図９は本発明に基づくマッピングを図示する流れ図である。
【図１】
0004252730.tif 000002
【図２】
0004252730.tif 000003
【図３】
0004252730.tif 000004
【図４Ａ】
0004252730.tif 000005
【図４Ｂ】
0004252730.tif 000006
【図５】
0004252730.tif 000007
【図６】
0004252730.tif 000008
【図７】
0004252730.tif 000009
【図８】
0004252730.tif 000010
【図９】
0004252730.tif 000011